(57)【特許請求の範囲】
【請求項１】
開口部に配設された引き戸の開口側端面に装着されるベース部であって、当該ベース部とは別個独立して前記引き戸の開口側端面に収納され且つ前記引き戸の表裏両面に突出するように取り付けられた鎌錠サムターンの操作部が回動自在にて遊嵌されたベース部と、
ベース部から上方に向かい、引き戸の開口側端面に沿って延出された上握り部と、
ベース部から下方に向かい、引き戸の開口側端面に沿って延出された下握り部とで構成され、
ベース部から上下に延出された上握り部と下握り部が、ベース部側の基部から端部にかけての把持部分が引き戸の表面から緩やかなアーチ状にて離間する方向に形成されていることを特徴とする引き戸用ハンドルバー。
【請求項２】
上握り部と下握り部がベース部より引き戸の中央寄りに設けられていることを特徴とする請求項１に記載の引き戸用ハンドルバー。
【請求項３】
上握り部と引き戸の表面及び下握り部と引き戸の表面の間に全体に亙って界壁が設けられていることを特徴とする請求項１または２に記載の引き戸用ハンドルバー。
【請求項４】
請求項１乃至３のいずれかに記載の引き戸用ハンドルバーを設けた引き戸。
【発明の詳細な説明】
【技術分野】
【０００１】
本発明は、老人、大人、子供、健常者及び障害者のいずれにも引き戸の開閉操作及び施錠操作の簡単な引き戸用ハンドルバーの改良に関する。
【背景技術】
【０００２】
引き戸には、ハンドルバーと施錠装置が設けてあり、それぞれ別の部材として引き戸に取り付けているものが一般的で、例えば、特許文献１に示すように施錠装置とハンドルバーを一体化したものがある。そしてこの発明によると、ハンドルバーを手で掴んだ状態で親指や人差し指で開錠レバーを左右に回動可能とすることで、引き戸におけるハンドルバーと施錠装置の位置関係を最適にすることができたとしている。
【先行技術文献】
【特許文献】
【０００３】
【特許文献１】特開平１０−１２１７９３号公報
【発明の概要】
【発明が解決しようとする課題】
【０００４】
しかしながら、大人と子供或いは健常者と車椅子障害者ではハンドルを掴む位置が異なるため、施錠装置とハンドルバーを一体化させただけでは必ずしも最適位置にできるとは言えない。また、不具合が生じて交換が必要な場合には、施錠装置とハンドルバーの両方を外して交換する必要があり、メンテナンス性が悪いという問題もある。施錠装置とハンドルバーを健常者用、障害者用のそれぞれに取り付けることも考えられるが、部品点数の増加、加工手間や施工手間がかかるなどコスト高になる。
【０００５】
本発明の主たる課題は一つのハンドルバーで健常者は勿論、子供や障害者にも戸の開閉操作がしやすく、且つ、施錠操作、メンテナンスも簡単な引き戸用ハンドルバーを提供することにある。
【課題を解決するための手段】
【０００６】
請求項１に記載した発明は、
開口部９に配設された引き戸１の開口側端面２に装着されるベース部５であって、当該ベース部５とは別個独立して前記引き戸１の開口側端面２に収納され且つ前記引き戸１の表裏両面に突出するように取り付けられた鎌錠サムターン３の操作部４が回動自在にて遊嵌されたベース部５と、
ベース部５から上方に向かい、引き戸１の開口側端面２に沿って延出された上握り部１２と、
ベース部５から下方に向かい、引き戸１の開口側端面２に沿って延出された下握り部１４とで構成され、
ベース部５から上下に延出された上握り部１２と下握り部１４が、ベース部５側の基部１６から端部１７にかけての把持部分１８が引き戸１の表面１ａから緩やかなアーチ状にて離間する方向に形成されていることを特徴とする引き戸用ハンドルバー１０である。
【０００７】
請求項２に記載した発明は、請求項１に記載の引き戸用ハンドルバー１０において、「上握り部１２と下握り部１４がベース部５より引き戸１の中央寄りに設けられている」ことを特徴とする。
【０００８】
請求項３に記載した発明は、請求項１または２に記載の引き戸用ハンドルバー１０において、「上握り部１２と引き戸１の表面１ａ及び下握り部１４と引き戸１の表面１ａの間に全体に亙って界壁８が設けられている」ことを特徴とする。
【０００９】
請求項４に記載した発明は、請求項１乃至３のいずれかに記載の引き戸用ハンドルバー１０を設けた引き戸１」である。
【発明の効果】
【００１０】
請求項１に記載の発明によれば、鎌錠サムターン３の操作部４が回動自在に取り付けられたベース部５の上下に上握り部１２と下握り部１４が設けられているで、高い位置でも低い位置でも握ることができる。即ち、健常者、障害者や子供はそれぞれ好ましい位置でいずれかの握り部を握って引き戸１の開閉を行うことができる。
【００１１】
また、引き戸用ハンドルバー１０は上握り部１２と下握り部１４とに分かれて、その間にベース部５があり、ベース部５から上下に延出された上握り部１２と下握り部１４が引き戸１の表面１ａから離間する方向に緩やかなアーチ状に形成されているので、ベース部５に設けられた鎌錠サムターン３の操作部４を視覚的に確認しつつ手をスムーズに移動させることが出来る。
【００１２】
分離している上・下握り部１２、１４の中央に鎌鍵サムターン３が配置され、ベース部５から上下に延出された上握り部１２と下握り部１４が引き戸１の表面１ａから離間する方向に緩やかなアーチ状を描いて形成されているので、操作部４を高齢者や障害者が使用しやすい大型レバーにしても上・下握り部１２、１４に干渉せず、鎌錠サムターン３の操作を妨げることがない。
【００１３】
また、これまでのように鎌錠サムターン３と引き戸用ハンドルバー１０を別部材とし、鎌錠サムターン３の操作部４がベース部５に回動自在にて遊嵌されているので、メンテナンス性も低下しない。
【００１４】
請求項２の発明では、上握り部１２と下握り部１４がベース部５より引き戸１の中央寄りに設けられているので、鎌錠サムターン３の操作部４を引き戸１の開口側端面２近くに配置することができ、それ故、引き戸１への加工及び取り付けが容易である。一方、上・下握り部１２、１４は引き戸１の中央寄りに配置されているので掴みやすく、開閉操作性が向上する。
【００１５】
請求項３の発明では、界壁８の存在により、引き戸用ハンドルバー１０が引き戸１に強固に固定できると共に開閉時に上・下握り部１２、１４と引き戸１の表面との間に手首が挟まるなどの不慮の事故や子供が上・下握り部１２、１４にぶら下がって遊ぶなど想定外の使用を防ぐことができる。
【００１６】
請求項４の発明では、上記の効果を有する引き戸１を実現できる。
【図面の簡単な説明】
【００１７】
【図１】本発明の引き戸用ハンドルバーを示す斜視図である。
【図２】本発明の引き戸用ハンドルバーの第１実施例の一部分解斜視図である。
【図３】本発明の引き戸用ハンドルバーを引き戸に装着した時の開口側端面から見た側面図である。
【図４】図３の正面図である。
【図５】本発明の引き戸用ハンドルバーの第２実施例の開口側端面から見た側面図である。
【図６】図５のＡ-Ａ切断端面図である。
【発明を実施するための形態】
【００１８】
以下、本発明を図示実施例に従って説明する。引き戸用ハンドルバー１０の第１実施例は、図２に示すように、ベース部５、ベース部５の上下に設けられる握り部材６及び握り部材６の端部に取り付けられる端部金具７とで構成されている。ベース部５は金属で構成され、丸孔５ａが設けられた本体部分５ｃ、本体部分５ｃの上下に延出された取付片部５ｂ、取付片部５ｂの下面に設けられた縦片部５ｄとで構成されている。
【００１９】
本体部分５ｃは引き戸１の表面に取り付けられ、取付片部５ｂは、本体部分５ｃの接合部分から本体部分５ｃが引き戸１の表面に取り付けられた際に、引き戸１の表面から離間する方向に屈曲している。この屈曲に合わせて縦片部５ｄが取付片部５ｂの下面中央に一体的に設けられている。本体部分５ｃの一側端５ｃ１は取付片部５ｂの同じ側の側端５ｂ１より外側に突出しており、この部分に丸孔５ａが穿設されている。この丸孔５ａの内径は錠基部３ｂが遊嵌状に嵌り込む大きさに形成されている。
【００２０】
握り部材６は緩やかなアーチ状にカーブした正面視長方形の木質部材で、握りやすい厚さを有する。そしてこの握り部材６のベース部５側の端部が取付片部５ｂに固定されている。固定方法は接着またはビス止めなどの方法が採用される。
【００２１】
端部金具７は取付金具７ａとカバー部材７ｂとで構成されており、取付金具７aはＬ形の金具で、その横取付部７ａ１に前述の握り部材６の他方の端部がビス止めされる。勿論、接着でもよいことは言うまでもない。カバー部材７ｂは取付金具７ａを上から覆うもので、取付金具７ａを収納できるように中空状に形成されている。その形状は外面７ｂ１が円弧状に曲成されており、両側面７ｂ２が略三角形に形成されている。即ち、側面７ｂ２の斜辺は外面７ｂ１の弧に合わせて緩やかな弧を描くように形成されている。
【００２２】
ここで、ベース部５から延出された上握り部１２と下握り部１４は、それぞれ握り部材６と端部金具７とで構成されることになる。
【００２３】
鎌錠サムターン３は、機構部が収納されている錠本体３ａ、錠本体３ａに設けられ、ハンドルやキーである操作部４が取り付けられる丸型の錠基部３ｂ及び、前述の操作部４とで構成されている。錠本体３ａは引き戸１の開口側端面２に収納されており、錠基部３ｂが引き戸１の表裏両面に突出するようにセットされる。そしてこの錠基部３ｂに操作部４が取り付けられることになる。操作部４の一方（室外側）は鎌状の大きなハンドルであり、他方（室内側）はキーである。勿論、両方とも鎌状の大きなハンドルとすることも可能であり、キーとすることも可能である。
【００２４】
このように形成された、引き戸用ハンドルバー１０は図４に示すように、ベース部５の丸孔５ａが引き戸１の開口側端面２側に寄せらた状態で引き戸１の開口側端面２に沿って上下方向に配設され、そのベース部５の丸孔５ａに鎌錠サムターン３の錠基部３ｂが遊嵌され、さらに両端の端部金具７の取付金具７ａが引き戸１の表面にビス止めされ、取付金具７ａがカバー部材７ｂに被覆されて引き戸１に取り付けられる。握り部材６は引き戸１の表面から緩いアーチ状に離間している。そして前述のように上下の握り部材６と端部金具７がベース部５の上下において上・下握り部１２、１４を構成する。丸孔５ａが引き戸１の開口側端面２側に寄せらた状態で配置されるので、前記上・下握り部１２、１４は引き戸１の中央寄りに配置されることになる。
【００２５】
しかして、この引き戸１の開閉にあたって、大人の健常者は操作部４を操作して開鍵し、そのまま指を滑らせて上握り部１２を握る。子供や車椅子障害者あるいは高齢者は同様に操作部４を操作して開鍵し、そのまま指を滑らせて下握り部１４を握る。或いはその逆に上・下握り部１２、１４を掴み、上・下握り部１２、１４から操作部４へ指を滑らせ、操作部４を操作して開錠する。この時、ベース部５の上下に次第に引き戸１からなだらかに離間するように上または下握り部１２、１４が設けられているので、操作部４と上・下握り部１２、１４との間の指の動きがスムーズに行える。また、ベース部５は前述のようにアーチ状に形成されている上・下握り部１２、１４の間に設けられているので、鎌錠サムターン３の操作部４を視覚しやすい。そして、開錠をすると、そのまま上または下握り部１２、１４を引っ張って引き戸１を開く。
【００２６】
前述のように、ベース部５はアーチ状に形成されている上・下握り部１２、１４の間に設けられているので、操作部４を高齢者や障害者が使用しやすい大型レバーにしても上・下握り部１２、１４に干渉せず、鎌錠サムターン３の操作が妨げられるというようなことがない。
【００２７】
鎌錠サムターン３または引き戸用ハンドルバー１０が破損した場合、鎌錠サムターン３の錠基部３ｂはベース部５の丸孔５ａに遊嵌しているだけなので、引き戸用ハンドルバー１０を引き戸１から外すことなく、鎌錠サムターン３を引き戸１から外して修理することができる。逆に、引き戸用ハンドルバー１０が破損すれば、鎌錠サムターン３の錠基部３ｂを外すことなく、引き戸用ハンドルバー１０を引き戸１から外して修理することができる。このよう鎌錠サムターン３と引き戸用ハンドルバー１０を別部材とすることができるので、メンテナンス性も低下しない。
【００２８】
市販の鎌錠サムターン３の寸法はほぼ決まっており、引き戸１の開口側端面２から錠基部３ｂまでの距離は開口側端面２に近接した位置に設けられる。これに対して、引き戸用ハンドルバー１０を開口側端面２に近接した位置に設けると、開口９の閉戸側縦框２１に引き戸用ハンドルバー１０が近接し過ぎて開閉操作に支障が生じる。しかしながら、引き戸用ハンドルバー１０の握り部材６の位置を丸孔５ａより引き戸１の中央寄りに設けることで、掴みやすくして開閉操作の容易化を図っている。
【００２９】
次に、第１実施例の変形例について、図１、３、６を参照しつつ説明する。第１実施例の場合は、図３の把持部材１８と引き戸１との間が素通しの空間になっていたが、変形例では図６に示すようにその部分全体に界壁８が設けられている。界壁８は界壁本体８ｃと把持部材１８の反対側に位置する当接板８ａとで構成され、界壁本体８ｃの厚みは把持部材１８の幅より小さく、界壁８の両側に指掛け用の空間８ｂが形成される。このような界壁８を上・下握り部１２、１４と引き戸１との間に全面的に設けておくと、界壁８の当接板８ａが引き戸１に当接して引き戸用ハンドルバー１０を引き戸１に強固に固定できる。しかも開閉時に上・下握り部１２、１４と引き戸１の表面との間に手首が挟まるなどの不慮の事故や子供が上・下握り部１２、１４にぶら下がって遊ぶなど想定外の使用を防ぐことができる。
【００３０】
図１及び図５は第２実施例で、引き戸用ハンドルバー１０の本体部分１０ａの全体が木質部材で形成されている場合である。形状的には第１実施例と同じ形状に形成されている。即ち、本体部分１０ａは第１実施例のベース部５、上・下握り部１２、１４を一体成形した形状に相当する。そして本体部分１０ａの引き戸１への取付部材として長尺の当接板８ａ、第１実施例のベース部５に相当するベース部分５ａ’に取り付けられる基台５ｂ’、両端に設けられる端部材５ｃ’とで構成されている。
【００３１】
第２実施例の引き戸用ハンドルバー１０の取り付けは、当接板８ａを引き戸１にビス止めすることによって行う。上・下握り部１２、１４と引き戸１との間は第１実施例と同様、素通しの空間としてもよいし、界壁８を設けてもよい。
【００３２】
上記第１・２実施例に開示した引き戸用ハンドルバー１０を装着することで、上記の効果を有する引き戸１を実現できる。
【符号の説明】
【００３３】
１…引き戸、１ａ…表面，２…開口側端面，３…鎌錠サムターン，３ａ…錠本体，３ｂ…錠基部，４…操作部，５…ベース部，５ａ…丸孔，５ｂ…取付片部，５ｂ１…側端，５ｃ…本体部分，５ｃ１…一側端，５ｄ…縦片部，６…握り部材，７…端部金具，７ａ…取付金具，７ａ１…横取付部，７ｂ…カバー部材，７ｂ１…外面，７ｂ２…側面，８…界壁，８ａ…当接板，８ｂ…指掛けよう空間，８ｃ…界壁本体，９…開口部，１０…引き戸用ハンドルバー，１０ａ…本体部分，１２…上握り部、１４…下握り部，１６…基部，１７…端部，１８…把持部分，２０…開戸側縦框，２１…閉戸側縦框。
【要約】
【課題】一つのハンドルバーで健常者は勿論、子供や障害者にも戸の開閉操作がしやすく、且つ、施錠操作、メンテナンスも簡単な引き戸用ハンドルバーを提供することにある。
【解決手段】引き戸用ハンドルバー１０は、ベース部５、上・下握り部１２・１４で構成されている。ベース部５は、開口部９に配設された引き戸１の開口側端面２に装着され、鎌錠サムターン３の操作部４が回動自在にて遊嵌されている。上握り部１２は、ベース部５から上方に向かい、引き戸の開口側端面２に沿って延出されている。下握り部１４はベース部５から下方に向かい、引き戸１の開口側端面２に沿って延出されている。上・下握り部１２・１４は緩やかなアーチ状に形成されている。
【選択図】図１【図１】
0005604553.tif 000002
【図２】
0005604553.tif 000003
【図３】
0005604553.tif 000004
【図４】
0005604553.tif 000005
【図５】
0005604553.tif 000006
【図６】
0005604553.tif 000007